(57)【要約】  複数のレンズと、各々の前記レンズが覆う少なくとも２つの発光素子とを備え、一の前記レンズに覆われた少なくとも２つの前記発光素子は、互いに電気的に分離されている発光装置。
2019012793.tif 000002
【特許請求の範囲】
【請求項１】
複数のレンズと、
各々の前記レンズが覆う少なくとも２つの発光素子とを備え、
一の前記レンズに覆われた少なくとも２つの前記発光素子は、互いに電気的に分離されている
発光装置。
【請求項２】
一の前記レンズに覆われた少なくとも２つの前記発光素子から出射される光の波長帯域は同じである
請求項１に記載の発光装置。
【請求項３】
一の前記レンズに覆われた少なくとも２つの前記発光素子は、互いに異なる大きさの実効電流が流れるように構成されている
請求項２に記載の発光装置。
【請求項４】
一の前記レンズに覆われた少なくとも２つの前記発光素子は、第１方向に並んで配置され、
前記第１方向に隣り合う前記レンズの間で隣り合って配置された前記発光素子が、互いに電気的に接続されている
請求項１に記載の発光装置。
【請求項５】
前記第１方向に交差する第２方向に隣り合うレンズの間で隣り合って配置された前記発光素子が、互いに電気的に接続されている
請求項４に記載の発光装置。
【請求項６】
一の前記レンズに、４つの前記発光素子が覆われている
請求項１に記載の発光装置。
【請求項７】
更に、一の前記レンズに覆われた少なくとも２つの前記発光素子が収容されたパッケージを有する
請求項１に記載の発光装置。
【請求項８】
更に、前記パッケージに設けられ、少なくとも前記２つの発光素子を隔てる反射部を有する
請求項７に記載の発光装置。
【請求項９】
更に、前記パッケージに充填された封止樹脂を有し、
前記封止樹脂の厚みよりも、前記反射部の高さが大きい
請求項８に記載の発光装置。
【請求項１０】
前記発光素子は、ＬＥＤ（Light Emitting Diode）である
請求項１に記載の発光装置。
【請求項１１】
基板と、
前記基板上に設けられた複数の発光素子と、
各々の前記発光素子を覆うとともに、前記基板との間隙を有して配置されたレンズと、
前記基板上に設けられ、前記レンズ毎に開口を有するとともに、所定の方向に一端を有する反射シートとを備え、
前記反射シートには、前記開口の前記一端側の周縁を前記間隙に配置した勘合部分が複数設けられている
発光装置。
【請求項１２】
更に、前記反射シートには、前記基板に対する位置合わせを行うための孔が設けられている
請求項１１に記載の発光装置。
【請求項１３】
前記開口の前記一端側の周縁が直線である
請求項１１に記載の発光装置。
【請求項１４】
全ての前記開口の前記一端側の周縁が前記間隙に配置されている
請求項１１に記載の発光装置。
【請求項１５】
更に、前記レンズには、前記反射シートの前記勘合部分に対向する位置に、周縁が突出した凸部が設けられている
請求項１１に記載の発光装置。
【請求項１６】
更に、前記凸部には、前記間隙の大きさが外側に向かって徐々に大きくなる傾斜部が設けられている
請求項１５に記載の発光装置。
【請求項１７】
液晶パネルおよび前記液晶パネルの背面側の発光装置を備え、
前記発光装置は、
複数のレンズと、
各々の前記レンズが覆う少なくとも２つの発光素子とを備え、
一の前記レンズに覆われた少なくとも２つの前記発光素子は、互いに電気的に分離されている
表示装置。
【請求項１８】
液晶パネルおよび前記液晶パネルの背面側の発光装置を備え、
前記発光装置は、
基板と、
前記基板上に設けられた複数の発光素子と、
各々の前記発光素子を覆うとともに、前記基板との間隙を有して配置されたレンズと、
前記基板上に設けられ、前記レンズ毎に開口を有するとともに、所定の方向に一端を有する反射シートとを備え、
前記反射シートには、前記開口の前記一端側の周縁を前記間隙に配置した勘合部分が複数設けられている
表示装置。
【請求項１９】
発光装置を備え、
前記発光装置は、
複数のレンズと、
各々の前記レンズが覆う少なくとも２つの発光素子とを備え、
一の前記レンズに覆われた少なくとも２つの前記発光素子は、互いに電気的に分離されている
照明装置。
【請求項２０】
発光装置を備え、
基板と、
前記基板上に設けられた複数の発光素子と、
各々の前記発光素子を覆うとともに、前記基板との間隙を有して配置されたレンズと、
前記基板上に設けられ、前記レンズ毎に開口を有するとともに、所定の方向に一端を有する反射シートとを備え、
前記反射シートには、前記開口各々の前記一端側の周縁を前記間隙に配置した勘合部分が複数設けられている
照明装置。
【発明の詳細な説明】
【技術分野】
【０００１】
本技術は、例えば発光ダイオード（ＬＥＤ：Light Emitting Diode）等の発光素子を有する発光装置、この発光装置を備えた表示装置および照明装置に関する。
【背景技術】
【０００２】
液晶パネルを有する表示装置には、液晶パネルに光を照射するためのバックライト（発光装置）が設けられている。このバックライトは、複数の発光素子と、各々の発光素子を覆うレンズとを有している（例えば、特許文献１参照）。
【先行技術文献】
【特許文献】
【０００３】
【特許文献１】特開２０１１−３４７７０号公報
【発明の概要】
【０００４】
このようなバックライト等に用いられる発光装置では、照明光の品質を高めることが望まれている。高品質な照明光により、例えば、高コントラストまたは高い輝度品位の照明が可能となる。
【０００５】
したがって、高品質な照明光を出射することが可能な発光装置、この発光装置を備えた表示装置および照明装置を提供することが望ましい。
【０００６】
本技術の一実施の形態に係る発光装置（１）は、複数のレンズと、各々のレンズが覆う少なくとも２つの発光素子とを備え、一のレンズに覆われた少なくとも２つの発光素子は、互いに電気的に分離されているものである。
【０００７】
本技術の一実施の形態に係る表示装置（１）は、液晶パネルの背面側に、上記の本技術の一実施の形態に係る発光装置（１）を備えたものである。
【０００８】
本技術の一実施の形態に係る照明装置（１）は、上記の本技術の一実施の形態に係る発光装置（１）を備えたものである。
【０００９】
本技術の一実施の形態に係る発光装置（１）、表示装置（１）または照明装置（１）では、一のレンズに覆われた少なくとも２つの発光素子が互いに電気的に分離されているので、この２つの発光素子が、各々独立して駆動される。例えば、一方が点灯し、他方が消灯すると、２つの発光素子の間で、輝度が急峻に変化する。
【００１０】
本技術の一実施の形態に係る発光装置（２）は、基板と、基板上に設けられた複数の発光素子と、各々の発光素子を覆うとともに、基板との間隙を有して配置されたレンズと、基板上に設けられ、レンズ毎に開口を有するとともに、所定の方向に一端を有する反射シートとを備え、反射シートには、開口の一端側の周縁を間隙に配置した勘合部分が複数設けられているものである。
【００１１】
本技術の一実施の形態に係る表示装置（２）は、液晶パネルの背面側に、上記の本技術の一実施の形態に係る発光装置（２）を備えたものである。
【００１２】
本技術の一実施の形態に係る照明装置（２）は、上記の本技術の一実施の形態に係る発光装置（２）を備えたものである。
【００１３】
本技術の一実施の形態に係る発光装置（２）、表示装置（２）または照明装置（２）では、反射シートの勘合部分が、基板とレンズとの間隙に配置されているので、この勘合部分により、反射シートが基板に固定される。
【００１４】
本技術の一実施の形態に係る発光装置（１）、表示装置（１）および照明装置（１）では、一のレンズに覆われた少なくとも２つの発光素子を互いに電気的に分離するようにしたので、点灯領域と消灯領域との間で急峻な輝度変化を生じさせることが可能となる。よって、照明光のコントラストを向上させることができる。また、本技術の一実施の形態に係る発光装置（２）、表示装置（２）および照明装置（２）では、反射シートに勘合部分を設けるようにしたので、例えば、ピンなどの固定部材の数を減らし、あるいは固定部材を用いることなく、反射シートを基板に固定することができる。よって、固定部材に起因した輝度品位の低下を抑えることができる。したがって、本技術の一実施の形態に係る発光装置（１）（２）、表示装置（１）（２）および照明装置（１）（２）では、高品質な照明光を出射することが可能となる。なお、ここに記載された効果は必ずしも限定されるものではなく、本開示中に記載されたいずれの効果であってもよい。
【図面の簡単な説明】
【００１５】
【図１】本技術の第１の実施の形態に係る表示装置の構成を表す模式的な分解斜視図である。
【図２】図１に示した光源装置の要部の構成を表す平面模式図である。
【図３】図２に示したＩＩＩ−ＩＩＩ’線に沿った断面構成を表す模式図である。
【図４】図２に示した光源装置の駆動単位領域を表す平面模式図である。
【図５】比較例に係る発光装置の要部の構成を断面模式図である。
【図６】（Ａ）は、図５に示した発光装置の輝度分布、（Ｂ）は図２に示した発光装置の輝度分布をそれぞれ表す図である。
【図７】図６（Ｂ）に示した輝度分布を拡大して表す図である。
【図８】図２，５に示した発光装置それぞれの点灯領域の大きさと輝度との関係表す図である。
【図９】図２，５に示した発光装置それぞれについて、全ての発光素子を点灯させたときの輝度分布を表す図である。
【図１０】変形例１に係る発光装置の要部の構成を断面模式図である。
【図１１】変形例２に係る発光装置の要部の構成を平面模式図である。
【図１２】変形例３に係る発光装置の要部の構成を平面模式図である。
【図１３Ａ】本技術の第２の実施の形態に係る発光装置の構成を表す平面模式図である。
【図１３Ｂ】図１３Ａに示したＡ−Ａ’線に沿った断面構成を表す模式図である。
【図１３Ｃ】図１３Ａに示したＢ−Ｂ’線に沿った断面構成を表す模式図である。
【図１４】図１３Ｂ等に示したレンズの構成を表す平面模式図である。
【図１５Ａ】図１３Ａに示した発光装置の製造工程を表す平面模式図である。
【図１５Ｂ】図１５Ａに続く工程を表す平面模式図である。
【図１６Ａ】図１５Ａに示した工程の断面構成を表す模式図である。
【図１６Ｂ】図１５Ｂに示した工程の断面構成を表す模式図である。
【図１７】変形例４に係る反射シートの構成を表す平面模式図である。
【図１８】変形例５に係る反射シートの構成を表す平面模式図である。
【図１９Ａ】図１８に示した反射シートを用いた発光装置の製造工程を表す平面模式図である。
【図１９Ｂ】図１９Ａに続く工程を表す平面模式図である。
【図２０Ａ】図１等に示した表示装置を適用させた電子機器の外観を表す斜視図である。
【図２０Ｂ】図２０Ａに示した電子機器の他の例を表す斜視図である。
【図２１】図２等に示した発光装置を適用させた照明装置の外観の一例を表す斜視図である。
【図２２】図２１に示した照明装置の他の例（１）を表す斜視図である。
【図２３】図２１に示した照明装置の他の例（２）を表す斜視図である。
【図２４】図１２に示した駆動単位領域の他の例（１）を表す平面模式図である。
【図２５】図１２に示した駆動単位領域の他の例（２）を表す平面模式図である。
【発明を実施するための形態】
【００１６】
以下、本技術の実施の形態について、図面を参照して詳細に説明する。なお、説明は以下の順序で行う。
１．第１の実施の形態（発光装置が、一のレンズに覆われた２つの発光素子を有する表示装置）
２．変形例１（２つの発光素子の間に反射部を設けた例）
３．変形例２（４つのレンズにまたがって駆動単位領域が設けられている例）
４．変形例３（４つの発光素子が一のレンズで覆われている例）
５．第２の実施の形態（勘合部分が設けられた反射シートを有する表示装置）
６．変形例４（Ｄ字状の開口を有する反射シートの例）
７．変形例５（位置決め孔を有する反射シートの例）
【００１７】
＜第１の実施の形態＞
（表示装置１の構成）
図１は、本技術の第１の実施の形態に係る液晶表示装置（表示装置１）の要部の分解斜視図を表している。この表示装置１は、バックライトとして機能する発光装置（発光装置１０Ｅ）と、発光装置１０Ｅから出射された光に照明される液晶パネル２０とを有している。液晶パネル２０は、背面フレーム部材２１と前面フレーム部材２２との間に挟持されている。液晶パネル２０の背面（背面フレーム部材２１）側に、発光装置１０Ｅが設けられている。発光装置１０Ｅの背面側には、ボトムシャーシ３１が設けられている。
【００１８】
発光装置１０Ｅは、直下型のバックライトであり、背面側（液晶パネル２０から遠い側）から順に、光源装置１０、反射シート３、拡散板４および光学機能シート５を有している。光源装置１０は、ボトムシャーシ３１の底面に設けられている。
【００１９】
図２は、光源装置１０の一部の模式的な平面構成を表したものである。図３は、図２に示したＩＩＩ−ＩＩＩ’線に沿った断面構成を表している。光源装置１０は、光源基板１１（基板）、パッケージ１２、発光素子１３、配線基板１４Ｗ，１４Ｓ、レンズ１５、レンズ支持体１６および封止樹脂１７を有している。光源基板１１は、例えば、ボトムシャーシ３１の底面に接して設けられ、この光源基板１１上に、例えばマトリクス状に複数のパッケージ１２が配置されている。この各々のパッケージ１２内に、封止樹脂１７で覆われた２つの発光素子１３が収容されている。発光素子１３には、配線基板１４Ｗ，１４Ｓが電気的に接続されている。この２つの発光素子１３が収容されたパッケージ１２をレンズ１５が覆っている。レンズ１５は、例えば脚状のレンズ支持体１６を介して光源基板１１上に設けられている。レンズ１５は、パッケージ１２毎に、例えばマトリクス状に配置されている。換言すれば、レンズ１５は、２つの発光素子１３毎に設けられている。
【００２０】
光源基板１１には、駆動単位領域（後述の図４の駆動単位領域Ｕ）毎に発光制御が可能となるように、図示しない配線パターンが設けられている。この配線パターンから配線基板１４Ｗ，１４Ｓを介して発光素子１３に駆動電流が供給されるようになっている。これにより、複数の発光素子１３の局所的な発光制御（ローカルディミング）が可能となる。光源基板１１には、例えば、ＰＥＴ（ポリエチレンテレフタレート）、ＰＥＮ（ポリエチレンナフタレート）またはフッ素系樹脂材などの樹脂製フィルムに配線パターンを印刷したものを用いることができる。樹脂性フィルムに代えて金属フィルムを用いるようにしてもよい。
【００２１】
パッケージ１２は、凹形状の収容部を有し、その凹形状の収容部の底面に発光素子１３が配置されている。例えば、一のパッケージ１２に２つの発光素子１３が収容されている。パッケージ１２の凹形状の収容部の表面は、発光素子１３からの光に対して高い反射率を有していることが好ましい。凹形状の収容部の表面は例えば、高い反射率を有する材料として、Ａｇを含んでいてもよい。パッケージ１２の構成材料としては、例えば、耐熱ポリマーまたはセラミック等が挙げられる。
【００２２】
複数の発光素子１３は、例えば互いに同じ構成を有するＬＥＤにより構成されている。発光素子１３は、例えば、ｎ型クラッド層、活性層およびｐ型クラッド層の積層構造と、ｎ型クラッド層に電気的に接続されたｎ側電極およびｐ型クラッド層に電気的に接続されたｐ側電極とを有している。ｎ側電極およびｐ電極の一方が配線基板１４Ｗに電気的に接続され、他方がボンディングワイヤＢを介して配線基板１４Ｓに電気的に接続されている。一のレンズ１５で覆われた２つの発光素子１３は、互いに同じ波長帯域の光を出射するものである。例えば、全ての発光素子１３が、青色波長帯域の光を出射する。
【００２３】
本実施の形態では、一のレンズ１５で覆われた２つの発光素子１３が、互い電気的に分離されており、各々独立して駆動されるようになっている。詳細は後述するが、これにより、発光装置１０Ｅから液晶パネル２０に出射される照明光のコントラストを向上させることが可能となる。
【００２４】
一のレンズ１５内で、２つの発光素子１３は、所定の方向（第１の方向、例えば、図２，３のＸ方向）に並んで配置されている。所定の方向に隣り合うレンズ１５間では、所定の方向に隣り合う発光素子１３が配線Ｃにより電気的に接続されている。
【００２５】
図４は、光源装置１０の駆動単位領域（駆動単位領域Ｕ）を表している。一のレンズ１５で覆われた２つの発光素子１３が電気的に分離されているので、一のレンズ１５内に互いに独立した２つの駆動単位領域Ｕが形成される。即ち、一のレンズ１５に覆われた２つの発光素子１３（駆動単位領域Ｕ）には、互いに異なる大きさの実効電流を流すことが可能であり、各々が独立して駆動される。更に、所定の方向に隣り合うレンズ１５間で、互いに隣り合う発光素子１３を電気的に接続することにより、所定の方向に隣り合う２つのレンズ１５に跨った駆動単位領域Ｕが形成される。
【００２６】
配線基板１４Ｗ，１４Ｓは、発光素子１３と光源基板１１とを電気的に接続するためのものであり、例えばリードフレームにより構成されている。発光素子１３を覆う封止樹脂１７は、パッケージ１２の収容部に充填されている。この封止樹脂１７は、例えば、発光素子１３を保護するとともに、発光素子１３から出射された光の取り出し効率を高める機能を有している。封止樹脂１７には、例えばシリコン樹脂等の樹脂材料を用いることができる。
【００２７】
複数のレンズ１５は各々、電気的に分離された２つの発光素子１３を覆っている。このレンズ１５は、光源基板１１に対向して配置され、レンズ１５と光源基板１１との間にはレンズ支持体１６により間隙Ｓが設けられている。レンズ１５の平面（例えば図２のＸＹ平面）形状は、例えば、円である。レンズ１５は、発光素子１３から出射された光が入射する光入射面Ｓ１と、光入射面Ｓ１から入射した光を反射シート３または拡散板４に向けて出射する光出射面Ｓ２とを有している。光入射面Ｓ１は、例えばレンズ１５の中央部に配置されており、周囲に比べて、光出射面Ｓ２側に凹状に設けられている。光出射面Ｓ２は、例えば、光入射面Ｓ１に対向する位置に、光入射面Ｓ１側への窪みＳ２Ｒを有している。窪みＳ２Ｒの周囲では、一定の曲率の曲面により光出射面Ｓ２が形成されている。レンズ１５に、このような窪みＳ２Ｒを有する光出射面Ｓ２を設けることにより、発光素子１３から直上に出射された光が、より効果的に拡散される。
【００２８】
脚状のレンズ支持体１６は、レンズ１５の光源基板１１との対向面に設けられ、レンズの光入射面Ｓ１と離れた位置に配置されている。レンズ支持体１６は、例えば、レンズ１５と一体化して設けられている。レンズ支持体１６は、例えば、一のレンズ１５に３つ設けられており、これら３つのレンズ支持体１６は、互いにレンズ１５の中心を軸とした回転対称の位置に配置されている。
【００２９】
反射シート３は、光源基板１１に対向して設けられ、光源基板１１に固定されている。反射シート３は、例えば、光源基板１１と略同じ大きさの四角形状を有している。この反射シート３は、例えば、各々レンズ１５に対応して開口（例えば、後述の図１３Ａの第１開口ＭＡ，第２開口ＭＢ）を有している。反射シート３は、例えば、ポリエチレンテレフタレート（ＰＥＴ）およびポリカーボネート（ＰＣ）等の樹脂材料または、アルミニウム（Ａｌ）等の金属材料により構成されている。この反射シート３は、レンズ１５の光出射面Ｓ２から出射された光を反射して、拡散板４に入射させる。
【００３０】
拡散板４は、反射シート３の一方の面（反射シート３の液晶パネル２０側の面）に対向して設けられている。拡散板４は、反射シート３と略同じ大きさの四角形状を有している。拡散板４に入射した光は、拡散板４の内部で拡散されて、面内の輝度等が均一化される。この均一化された光が、光学機能シート５を介して液晶パネル２０に入射されるようになっている。拡散板４は、例えば、アクリル樹脂およびポリカーボネート樹脂等の樹脂材料により構成されている。
【００３１】
拡散板４と液晶パネル２０との間に設けられた光学機能シート５は、例えば、偏光フィルム、位相差フィルムおよび拡散フィルム等により構成されている。複数の光学機能シート５が設けられていてもよい。光学機能シート５は、例えば波長変換シートであってもよい。この波長変換シートは、例えば蛍光体または量子ドットなどの波長変換物質を含んでいる。波長変換物質は、発光素子１３から出射された光により励起されて、発光素子１３から出射された光とは異なる波長域の光を放出する。例えば、波長変換シートは、発光素子１３から出射された青色波長域の光により励起されて、赤色波長域および緑色波長域の光を放出する。
【００３２】
液晶パネル２０は、動画像または静止画像を表示する透過型の液晶パネルである。この液晶パネル２０は、光学機能シート５に対向して設けられ、例えば、光学機能シート５に近い位置からＴＦＴ基板、液晶層およびカラーフィルタ基板をこの順に有している。液晶パネル２０には、更に偏光板等が設けられていてもよい。例えば、発光装置１０Ｅから出射された光がＴＦＴ基板に入射し、液晶層を経てカラーフィルタ基板側から出射されるようになっている。
【００３３】
液晶パネル２０を挟む背面フレーム部材２１および前面フレーム部材２２は、液晶パネル２０の周縁部を覆う枠状部材である。この背面フレーム部材２１および前面フレーム部材２２は、液晶パネル２０の周縁部を保護するとともに、審美性を向上させるためのものである。背面フレーム部材２１および前面フレーム部材２２は、例えばＡｌ（アルミニウム）等の金属により構成されている。
【００３４】
ボトムシャーシ３１は、光源基板１１の背面（発光素子１３が設けられた面と反対の面）に、例えば接着シートを介して貼り合わされている。ボトムシャーシ３１は、例えば、光源基板１１に貼り合わされた板状部分と、板状部分の外周に設けられた壁部分とを有している。ボトムシャーシ３１の板状部分は、光源基板１１の平坦性を維持し、ボトムシャーシ３１の壁部分は、背面フレーム部材２１に組み合わされる。ボトムシャーシ３１は、例えば、Ｆｅ（鉄）およびＡｌ（アルミニウム）等の金属またはガラスなどにより構成されている。
【００３５】
（表示装置１の動作）
この表示装置１では、発光素子１３で発生した光が、封止樹脂１７を介してレンズ１５の光入射面Ｓ１に入射する。この光は、レンズ１５の光出射面Ｓ２から出射された後、反射シート３で反射されて拡散板４に入射する。拡散板４では、入射した光が均一に拡散される。拡散板４で拡散された光は、光学機能シート５を介して液晶パネル２０に入射する。液晶パネル２０に入射した光は、印加された映像電圧に基づいて画素毎に変調されつつ、液晶層を通過する。液晶層を透過した光は、カラーフィルタ（図示せず）を通過することにより、カラーの表示光として取り出される。
【００３６】
（発光装置１０Ｅの作用・効果）
表示装置１のバックライトを構成する発光装置１０Ｅでは、一のレンズ１５が２つの発光素子１３を覆っており、この２つの発光素子１３が電気的に分離されている。したがって、図４に示したように、一のレンズ１５内に２つの駆動単位領域Ｕが形成される。発光装置１０Ｅでは、入力された映像信号に対応して、この駆動単位領域Ｕ毎に、ローカルディミング制御がなされる。例えば、一のレンズ１５で覆われた２つの発光素子１３（駆動単位領域Ｕ）の一方を点灯させ、かつ、他方の発光素子１３（駆動単位領域Ｕ）を消灯させる。このとき、一のレンズ１５内に配置された点灯状態の発光素子１３と消灯状態の発光素子１３との間では、急峻な輝度の変化が生じる。このように、一のレンズ１５に覆われた２つの発光素子１３を互いに独立して駆動することにより、発光装置１０Ｅから液晶パネル２０に入射する照明光のコントラストを向上させることができる。以下、これについて説明する。
【００３７】
図５は、比較例に係る発光装置（発光装置１００）の要部の模式的な断面構成を表している。この発光装置１００では、一のパッケージ１２に１つの発光素子（発光素子１３０）が収容されており、この１つの発光素子１３０を一のレンズ１５０が覆っている。この発光装置１００は、ローカルディミング制御されるようになっており、発光素子１３０の数は、液晶パネルの画素数よりも少なくなっている。
【００３８】
この発光装置１００では、例えばレンズ１５０および拡散板などを用いることにより、発光素子１３０から出射された光を面内で拡散させる。これにより、面内で輝度等が均一化されるので、点灯領域が大きい画像では、輝度品位が維持される。しかし、発光素子１３０の数の少ない発光装置１００では、点灯領域を小さくしていくと、それに伴い、輝度も低くなる。したがって、大部分の発光素子１３０が消灯状態となり、ほんの一部の発光素子１３０のみが点灯状態となるような画像では、高いコントラストを実現することが困難となる。大部分の発光素子１３０が消灯状態となり、ほんの一部の発光素子１３０のみが点灯状態となるような画像とは、例えば、「夜空に輝く星」などの画像である。また、発光装置１００では、いわゆるハロー（halo）等が生じやすい。
【００３９】
発光装置１００のコントラストを向上させる方法として、例えば、賦形反射シート等の特殊な反射シートを用いることも考え得る。しかし、この場合、特殊な反射シートに起因するコストの増加が生じる。また、反射シートの形状がばらつきやすく、輝度品位が低下するおそれもある。
【００４０】
これに対し、発光装置１０Ｅでは、一のレンズ１５に覆われた２つの発光素子１３が互いに独立して駆動される。このような発光装置１０Ｅをローカルディミング制御により、一のレンズ１５に覆われた２つの発光素子１３の一方を点灯させ、かつ、他方の発光素子１３を消灯させると、一のレンズ１５内に配置された点灯状態の発光素子１３と消灯状態の発光素子１３との間では、急峻な輝度の変化が生じる。
【００４１】
図６は、発光装置１０Ｅから出射される光を、発光装置１００から出射される光と比較して表したものである。図６（Ａ）は発光装置１００から出射される光の輝度分布、図６（Ｂ）は発光装置１０Ｅから出射される光の輝度分布をそれぞれ表している。図６（Ｂ）は、一のレンズ１５で覆われた２つの発光素子１３の一方を点灯させ、かつ、他方の発光素子１３を消灯させた状態の輝度分布を表している。図７により、発光装置１０Ｅから出射される光の輝度分布のピーク形状が、発光装置１００よりもシャープになっており、点灯状態の発光素子１３と消灯状態の発光素子１３との間で、急峻な輝度の変化が生じていることが分かる。これは、レンズ１５の特性に起因している。
【００４２】
図７は、図６（Ｂ）の輝度分布を拡大して表したものである。この輝度分布のピーク形状は非対称であり、ピーク位置の左側（位置座標が小さい側）が急峻に、右側（位置座標が大きい側）が比較的ブロードになっている。即ち、レンズ１５の光出射面Ｓ２から取り出される光の輝度分布は方向によって異なる。このようなレンズ１５の特性により、一のレンズ１５に覆われた２つの発光素子１３の一方を点灯させ、かつ、他方の発光素子１３を消灯させると、これらの間で急峻な輝度の変化が生じ、高いコントラストが得られる。また、ハロー等も生じにくい。
【００４３】
図８は、発光装置１０Ｅおよび発光装置１００について、点灯領域の大きさと輝度との関係を表したものである。発光装置１００に比べて、発光装置１０Ｅでは、点灯領域を小さくしても、高い輝度が維持されていることが分かる。
【００４４】
図９は、発光装置１０Ｅおよび発光装置１００について、全ての発光素子１３，１３０を点灯させたときの輝度分布を表している。このように、発光装置１０Ｅでは、全点灯の状態であっても、輝度品位が維持される。
【００４５】
このように発光装置１０Ｅでは、一のレンズ１５に覆われた２つの発光素子１３を互いに電気的に分離し、独立して駆動するようにしたので、点灯領域が大きい画像での輝度品位を維持しつつ、点灯領域が小さい画像（例えば、「夜空に輝く星」の画像）で高いコントラストを実現することができる。また、特殊な反射シートを用いる必要がないので、これに起因するコストの増加および輝度品位の低下も生じない。
【００４６】
以上説明したように、発光装置１０Ｅでは、一のレンズ１５に覆われた２つの発光素子１３を互いに電気的に分離するようにしたので、点灯領域と消灯領域との間で急峻な輝度変化を生じさせることが可能となる。よって、液晶パネル２０への照明光のコントラストを向上させることができる。即ち、発光装置１０Ｅでは、高品質な照明光を出射することが可能となる。
【００４７】
以下、上記実施の形態の変形例および他の実施の形態について説明するが、以降の説明において上記実施の形態と同一構成部分については同一符号を付してその説明は適宜省略する。
【００４８】
＜変形例１＞
図１０は、上記実施の形態の変形例１に係る発光装置１０Ｅ（または光源装置１０）の要部の断面構成を模式的に表したものである。このように一のレンズ１５（図１１には図示せず）に覆われた２つの発光素子１３の間に、これらを隔てる反射部（反射部１８）を設けるようにしてもよい。この点を除き、変形例１の発光装置１０Ｅは上記実施の形態の発光装置１０Ｅと同様の構成および効果を有している。
【００４９】
反射部１８は、例えばパッケージ１２の収容部を仕切る壁状に設けられている。反射部１８の高さｈ（例えば、パッケージ１２の底面からのＺ方向の長さ）は、封止樹脂１７の厚みｔよりも大きくなっている。反射部１８の高さｈは、封止樹脂１７の厚みｔと同じであってもよく、あるいは小さくなっていてもよい。反射部１８の構成材料は、例えば、パッケージ１２の構成材料と同一のものを用いることができる。反射部１８は、パッケージ１２と一体化されていてもよい。
【００５０】
このような反射部１８を設けることにより、一のレンズ１５に覆われた２つの発光素子１３の一方を点灯させ、かつ、他方の発光素子１３を消灯させると、２つの発光素子１３の間での輝度の変化がより、急峻となる。したがって、発光装置１０Ｅから出射される照明光のコントラストをより向上させることができる。
【００５１】
＜変形例２＞
図１１は、上記実施の形態の変形例２に係る発光装置１０Ｅの要部の平面構成を模式的に表したものである。このように駆動単位領域Ｕが４つのレンズ１５に跨るようにしてもよい。この点を除き、変形例２の発光装置１０Ｅは上記実施の形態の発光装置１０Ｅと同様の構成および効果を有している。
【００５２】
本変形例では、所定の方向に交差する方向（第２方向、例えば、図１２のＹ方向）に隣り合う２つのレンズ１５の間で、隣り合う発光素子１３が配線Ｃにより電気的に接続されている。更に、この電気的に接続された発光素子１３の少なくとも一方は、所定の方向（例えば、図１２のＸ方向）に隣り合うレンズ１５の間で、隣り合う発光素子１３と配線Ｃにより電気的に接続されている。これにより、Ｘ方向，Ｙ方向各々に隣り合う４つ（２×２）のレンズ１５に跨った駆動単位領域Ｕが形成される。このとき、駆動単位領域Ｕでは、Ｘ方向の長さＤＸが、Ｙ方向の長さＤＹよりも大きくなっていることが好ましい。これにより、点灯領域を小さくしたときの輝度（図８参照）を高くすることが可能となる。例えば、発光素子１３は、一定の密度で配置されている。
【００５３】
＜変形例３＞
図１２は、上記実施の形態の変形例３に係る発光装置１０Ｅの要部の平面構成を模式的に表したものである。このように一のレンズ１５に、互いに電気的に分離された４つの発光素子１３が覆われていてもよい。この点を除き、変形例３の発光装置１０Ｅは上記実施の形態の発光装置１０Ｅと同様の構成および効果を有している。
【００５４】
一のレンズ１５に覆われた４つの発光素子１３は、例えば、Ｘ方向およびＹ方向各々に２つ並んで配置されている。一のレンズ１５で覆われた４つの発光素子１３は、互いに電気的に分離されている。例えば、Ｘ方向に隣り合うレンズ１５の間で、隣り合う発光素子１３が配線Ｃにより電気的に接続されている。更に、この互いに電気的に接続された発光素子１３の少なくとも一方は、Ｙ方向に隣り合うレンズ１５の間で、隣り合う発光素子１３と配線Ｃにより電気的に接続されている。このように、４つの発光素子１３を一のレンズ１５で覆うことにより、一のレンズ１５内に、４つの駆動単位領域Ｕを形成することができる。この駆動単位領域Ｕは、Ｘ方向，Ｙ方向各々に隣り合う４つ（２×２）のレンズ１５に跨って形成される。一のレンズ１５で覆う発光素子１３の数を増やすことにより、Ｘ方向に加えてＹ方向に並んで配置された発光素子１３の間でコントラストを向上させることが可能となる。したがって、点灯領域を小さくしたときの輝度（図８参照）をより高くすることが可能となる。
【００５５】
＜第２の実施の形態＞
図１３Ａ〜１３Ｃは、本開示の第２の実施の形態に係る発光装置（発光装置６０Ｅ）の要部の構成を模式的に表したものである。図１３Ａは、発光装置６０Ｅの模式的な平面構成を表し、図１３Ｂは図１３Ａに示したＢ−Ｂ’線に沿った断面構成、図１３Ｃは図１３Ａに示したＢ−Ｂ’線に沿った断面構成をそれぞれ表している。
【００５６】
発光装置６０Ｅは、上記発光装置１０Ｅと同様に、光源基板１１上に設けられた複数の発光素子１３と、発光素子１３を覆うレンズ１５と、光源基板１１に対向する反射シート３とを有している。発光素子１３を収容するパッケージ１２および封止樹脂１７は、図１３Ａ〜１３Ｃでは、省略して図示している。
【００５７】
発光装置６０Ｅでは、例えば一のレンズ１５が、１つの発光素子１３を覆っている。上記第１の実施の形態の発光装置１０Ｅと同様に、電気的に分離された２つの発光素子１３が、一のレンズ１５で覆われていてもよい。
【００５８】
レンズ１５は、光源基板１１に対向して設けられ、光源基板１１に、脚状のレンズ支持体１６により固定されている。レンズ支持体１６により、レンズ１５と光源基板１１との間には間隙Ｓが設けられている。間隙Ｓは、例えば、１ｍｍ程度である。
【００５９】
図１４は、レンズ１５の平面形状の一例を表したものである。レンズ１５は、略円状の平面形状を有しているが、この円状の周縁に凸部１５Ｐが設けられている。凸部１５Ｐは、レンズ１５の周縁が外側に突出した部分である。凸部１５Ｐは、例えば、一のレンズ１５に３つ設けられており、これらは互いに、レンズ１５の中心を軸とした回転対称の位置に配置されている。
【００６０】
このレンズ１５の凸部１５Ｐ各々に、傾斜部１５Ｓが設けられていることが好ましい（図１３Ｂ，１３Ｃ）。この傾斜部１５Ｓは、凸部１５Ｐの光源基板１１との対向面が、光源基板１１に対して傾斜した部分であり、この傾斜は、間隙Ｓが外側に向かって徐々に大きくなる方向に設けられている。レンズ１５に、このような凸部１５Ｐおよび傾斜部１５Ｓを設けることにより、後述の反射シート３の勘合部分（勘合部分３Ｅ）を形成しやすくなる。
【００６１】
反射シート３は、例えば矩形等の四角形の平面形状を有しており、四角形の対向する二辺（例えば、図１３ＡのＹ方向に対向する二辺）が一端（一端Ｅ１）および他端（他端Ｅ２）を構成している。例えば、図１３Ａの上方向の一辺が、一端Ｅ１を構成している。
【００６２】
この反射シート３には、各々のレンズ１５毎に、円状の第１開口ＭＡまたは第２開口ＭＢが設けられ、この第１開口ＭＡ，第２開口ＭＢからレンズ１５が露出されている。第１開口ＭＡと第２開口ＭＢとは、例えば、形状または大きさが異なっている。例えば、第１開口ＭＡの直径ＤＡは、第２開口ＭＢの直径ＤＢよりも大きくなっている。反射シート３には、例えば、第２開口ＭＢの数よりも多い数の第１開口ＭＡが設けられている。例えば、一端Ｅ１に最も近い１行のみが第２開口ＭＢにより構成されており、その他の行（図１３Ａでは３行）が第１開口ＭＡで構成されている。
【００６３】
本実施の形態では、この反射シート３に、複数の勘合部分（勘合部分３Ｅ）が設けられている（図１３Ｂ）。勘合部分３Ｅは、互いに異なる第１開口ＭＡの一端Ｅ１側の周縁の一部が、間隙Ｓに配置された部分である。この勘合部分３Ｅは、後述するように、光源基板１１に対して反射シート３をスライドさせることにより形成される。例えば、全ての第１開口ＭＡで、一端Ｅ１側の周縁の一部が間隙Ｓに挿入され、勘合部分３Ｅが形成されている。この複数の勘合部分３Ｅにより、反射シート３が光源基板１１に固定される。詳細は後述するが、これにより、発光装置６０Ｅから出射される照明光の輝度品位を向上させることができる。
【００６４】
レンズ１５の、少なくとも１つの凸部１５Ｐおよび傾斜部１５Ｓは、勘合部分３Ｅに対向する位置、即ち、反射シート３の一端Ｅ１側に設けられている。傾斜部１５Ｓが設けられた方向から間隙Ｓに反射シート３を挿入することにより、反射シート３を間隙Ｓによびこみやすくなる。また、凸部１５Ｐを勘合部分３Ｅに対向する位置に設けることにより、反射シート３が間隙Ｓから外れにくくなる。
【００６５】
第２開口ＭＢは、光源基板１１に対して反射シート３をスライドさせた際に、位置合わせを行うために設けられている。この第２開口ＭＢでは、周縁全部がレンズ１５の外側に配置されている。例えば、レンズ１５の凸部１５Ｐには、第２開口ＭＢの周縁が重なっていてもよい。第１開口ＭＡ，第２開口ＭＢを形成する際に生じた、切断面のバリは、例えば、光源基板１１に向いている。
【００６６】
反射シート３は、例えば、２軸延伸のポリエチレンテレフタレート（ＰＥＴ）により構成されている。反射シート３の厚み（例えば、図１３Ｂ，１３ＣのＺ方向の長さ）は、例えば、０．２５ｍｍ程度である。反射シート３には、位置合わせのためのピンが挿入される穴および切り欠き等（図示せず）が設けられていてもよい。
【００６７】
反射シート３は、例えば、以下のようにして光源基板１１に固定する（図１５Ａ〜１６Ｂ）。
【００６８】
図１５Ａは、反射シート３を光源基板１１に固定する前の状態を表す平面図であり、図１６Ａは、この状態の断面構成を表している。例えば、反射シート３は、その一端Ｅ１側を光源基板１１から浮き上がらせて配置する。このとき、反射シート３の第２開口ＭＢの周縁の一部はレンズ１５に重なっている。
【００６９】
この状態から反射シート３を、光源基板１１に対して近づけながら矢印方向（図１５Ａの紙面下方向）にスライドさせる。これにより、反射シート３の第１開口ＭＡの一端Ｅ１側の周縁が、間隙Ｓに潜り込んで挿入される（図１５Ｂ，１６Ｂ）。反射シート３は、例えば、レンズ１５の傾斜部１５Ｓを介して間隙Ｓに挿入される。このように、勘合部分３Ｅが形成され、光源基板１１に反射シート３が固定される。第２開口ＭＢでは、周縁がレンズ１５の外側に移動し、位置合わせがなされる。第２開口ＭＢの配置された１行の周辺のみ、両面テープを用いて反射シート３を光源基板１１に固定するようにしてもよい。図１５Ｂ，１６Ｂは、図１５Ａ，１６Ａの状態からそれぞれ矢印方向にスライドさせた後の状態を表している。
【００７０】
勘合部分３Ｅを形成した後に、更に、拡散板４を支持するピン等を用いて、反射シート３を光源基板１１に固定するようにしてもよい。
【００７１】
本実施の形態の発光装置６０Ｅでは、反射シート３に、互いに異なる第１開口ＭＡ各々の一端Ｅ１側の周縁が、間隙Ｓに挿入され、勘合部分３Ｅが形成されている。これにより、反射シート３が光源基板１１に固定されるので、ピンなどの固定部材に起因した輝度品位の低下を抑えることができる。以下、これについて説明する。
【００７２】
反射シートを光源基板に固定する方法としては、例えば、ピンを用いる方法が考え得る。このピンを用いる方法では、数多くのピンを打つ必要がある。ピンの数が少ないと、熱および筐体の歪みなどにより、反射シートが固定基板から浮いてしまい、輝度が低下するためである。しかし、数多くのピンを用いると、ピンの影に起因して輝度品位が低下するおそれがある。また、例えば、２軸延伸のＰＥＴにより構成された反射シートは、温度変化によって収縮および膨張が生じやすいので、多くの位置をピンで固定すると、反射シートの一部に局所的に大きなストレスがかかるおそれがある。このようなストレスは発光装置の信頼性を低下させる。更に、温度変化に起因した形状変化と、組み立て誤差を考慮して、反射シートの開口の大きさは、レンズ径よりもかなり大きめに設定するので、反射シートの開口部分で反射率が低下し、輝度効率が低下する。
【００７３】
ピンの他、両面テープ，プッシュリベットおよびビス等を用いることも可能であるが、このような固定部材を用いる方法は、材料費および組み立て費（組み立て工数）に起因したコストがかかる。また、筐体の裏面側への穴開けなど、デザインに影響を及ぼす。
【００７４】
これに対し、本実施の形態では、反射シート３に、第１開口ＭＡ各々の一端Ｅ１側の周縁が、間隙Ｓに挿入された勘合部分３Ｅが設けられているので、この勘合部分３Ｅにより、反射シート３が光源基板１１に固定される。即ち、ピンなどの固定部材の数を減らしても、あるいは、固定部材を用いることなく、反射シート３が光源基板１１に固定される。よって、ピンの影などに起因した輝度品位の低下を抑えることができる。
【００７５】
また、勘合部分３Ｅは、第１開口ＭＡ各々の一端Ｅ１側の周縁、即ち、反射シート３の一部に設けられているので、反射シート３の収縮および膨張に応じて、他の部分は柔軟に変位する。したがって、反射シート３には局所的なストレスがかかりにくく、発光装置６０Ｅの信頼性が維持される。
【００７６】
更に、反射シート３は、収縮および膨張に応じて、勘合部分３Ｅ以外の部分が柔軟に変位するので、第１開口ＭＡ，第２開口ＭＢの大きさをレンズ１５の径に近づけることができる。したがって、反射シート３の第１開口ＭＡ，第２開口ＭＢ近傍での反射率の低下を抑え、輝度効率を向上させることができる。
【００７７】
加えて、ピンなどの固定部材の数を減らし、あるいは固定部材を用いずに、反射シート３を光源基板１１に固定することができるので、固定部材に起因した材料費および組み立て費（組み立て工数）を抑えることができる。よって、コストを抑えることができる。また、穴開け等も不要なので、デザインにも影響しない。
【００７８】
以上のように、本実施の形態では、反射シート３に勘合部分３Ｅを設けるようにしたので、例えば、ピンなどの固定部材の数を減らし、あるいは固定部材を用いることなく、反射シート３を光源基板１１に固定することができる。よって、固定部材に起因した輝度品位の低下を抑えることができる。したがって、発光装置６０Ｅでは、高品質な照明光を出射することが可能となる。
【００７９】
＜変形例４＞
図１７は、上記第２の実施の形態の変形例（変形例４）に係る反射シート３の平面構成を模式的に表したものである。このように、第１開口ＭＡがＤ字状であってもよい。この点を除き、変形例４の反射シート３は上記第２の実施の形態の反射シート３と同様の構成および効果を有している。
【００８０】
反射シート３の第１開口ＭＡは、一端Ｅ１側の周縁が直線であり、それ以外の部分が円状の曲線となっている。この直線状の第１開口ＭＡの周縁部分に勘合部分３Ｅ（図１３Ｂ）が形成されるようになっている。このように第１開口ＭＡの一端Ｅ１側の周縁を直線状にすることにより、スライド時に、レンズ１５の凸部１５Ｐに接触すると、レンズ１５の他の部分に引っかからずに勘合部分３Ｅが形成される。
【００８１】
＜変形例５＞
図１８は、上記第２の実施の形態の変形例（変形例５）に係る反射シート３の平面構成を模式的に表したものである。このように、位置合わせのための第２開口（図１３Ａの第２開口ＭＢ）を設けずに、全てのレンズ１５に対して、第１開口ＭＡを設けるようにしてもよい。即ち、全ての開口（第１開口ＭＡ）の一端Ｅ１側の周縁が間隙Ｓに嵌め合わされていてもよい。この点を除き、変形例５の反射シート３は上記第２の実施の形態の反射シート３と同様の構成および効果を有している。
【００８２】
反射シート３には、位置決め孔（位置決め孔Ｈ３）が設けられていてもよい。この位置決め孔Ｈ３は、反射シート３をスライドさせた後の、光源基板１１に対する位置を調整するためのものである。この置決め孔Ｈ３を設けることにより、反射シート３をスライドさせる際のスライド量を安定させることが可能となる。
【００８３】
図１９Ａは、反射シート３を光源基板１１に固定する前の状態を表す平面図である。例えば、反射シート３は、その一端Ｅ１側を光源基板１１から浮き上がらせて配置する。このとき、反射シート３の位置決め孔Ｈ３は、例えば光源基板１１に設けられたピンを挿入するためのピン孔ＨＰとずれて配置されている。ピン孔ＨＰは、ボトムシャーシ３１などに設けるようにしてもよい。このピン孔ＨＰに挿入されるピンは、例えば、光源装置１０と拡散板４との間の距離を保持するめのものであり、例えば樹脂材料により構成されている。このピンは、透明または白色等である。
【００８４】
この状態（図１９Ａ）から反射シート３を、光源基板１１に対して近づけながら矢印方向（図１９Ａの紙面下方向）にスライドさせる（図１９Ｂ）。これにより、反射シート３の第１開口ＭＡの一端Ｅ１側の周縁が、間隙Ｓに潜り込み、勘合部分３Ｅが形成される（図１６Ｂ参照）。位置決め孔Ｈ３は、ピン孔ＨＰと重なる位置に移動する。勘合部分３Ｅを形成するとともに、この互いに重なった位置決め孔Ｈ３およびピン孔ＨＰに、ピンを挿入することにより、反射シート３が光源基板１１に固定される。
【００８５】
反射シート３をスライドさせることにより、予め挿入されたピンに位置決め孔Ｈ３が接触するようになっていてもよい。このようなピンと位置決め孔Ｈ３との接触により、光源基板１１に対する反射シート３の位置合わせがなされる。
【００８６】
＜適用例：電子機器＞
以下、上記のような表示装置１の電子機器への適用例について説明する。電子機器としては、例えばテレビジョン装置，医療用モニタ，デジタルサイネージ，マスターモニタ，デジタルカメラ，ノート型パーソナルコンピュータ、携帯電話等の携帯端末装置あるいはビデオカメラ等が挙げられる。言い換えると、上記表示装置１は、外部から入力された映像信号あるいは内部で生成した映像信号を、画像あるいは映像として表示するあらゆる分野の電子機器に適用することが可能である。
【００８７】
図２０Ａおよび図２０Ｂは、上記実施の形態の表示装置１が適用されるタブレット型端末装置の外観を表したものである。このタブレット型端末装置は、例えば、表示部７１０および非表示部７２０を有しており、この表示部７１０が上記実施の形態の表示装置１により構成されている。
【００８８】
＜適用例：照明装置＞
図２１は、上記発光装置１０Ｅ，６０Ｅを適用した照明装置の外観を表したものである。この照明装置は、上記第１，第２の実施の形態の発光装置１０Ｅ，６０Ｅを備えた卓上用の照明装置であり、例えば、基台８４１に設けられた支柱８４２に、照明部８４３が取り付けられている。この照明部８４３が、上記第１，第２の実施の形態に係る発光装置１０Ｅ，６０Ｅにより構成されている。照明部８４３は、図２１に示した筒状、または図２２に示した曲面状など、任意の形状とすることが可能である。
【００８９】
発光装置１０Ｅ，６０Ｅは、図２３に示したような室内用の照明装置に適用させるようにしてもよい。この照明装置では、照明部８４４が上記発光装置１０Ｅ，６０Ｅにより構成されている。照明部８４４は、建造物の天井８５０Ａに適宜の個数および間隔で配置されている。なお、照明部８４４は、用途に応じて、天井８５０Ａに限らず、壁８５０Ｂまたは床（図示せず）など任意の場所に設置することが可能である。
【００９０】
これらの照明装置では、発光装置１０Ｅ，６０Ｅからの光により、照明が行われる。ここでは、上記第１，第２の実施の形態で説明したように、発光装置１０Ｅ，６０Ｅにより高品質な照明光を得ることができる。
【００９１】
以上、実施の形態および変形例を挙げて本技術を説明したが、本技術は上記実施の形態に限定されるものではなく、種々の変形が可能である。例えば上記実施の形態等において説明した各部の配置位置や形状などは一例であって、それらに限定されるものではない。
【００９２】
また、各図に示した各構成要素の寸法、寸法比および形状等は一例であって、本技術がこれに限定されるものではない。
【００９３】
更に、上記実施の形態等では、レンズ１５が発光素子１３から離れて設けられている場合（いわゆす２次レンズの場合）について説明したが、レンズ１５は発光素子１３に接して設けられていてもよい。
【００９４】
また、上記実施の形態等では、レンズ１５がマトリクス状に配置されている場合について説明したが、レンズ１５はどのように配置されていてもよく、例えば互いにハニカム構造をなすように配置されていてもよい。
【００９５】
更に、図１２（変形例３）では、Ｘ方向およびＹ方向に隣り合うレンズ１５の間で、隣り合う発光素子１３を電気的に接続する場合について説明したが、例えば図２４に示したように、Ｘ方向またはＹ方向のどちらか一方向（図２４では、Ｘ方向）に隣り合うレンズ１５の間で、隣り合う発光素子１３を電気的に接続するようにしてもよい。あるいは、図２５に示したように、一のレンズ１５内でＸ方向またはＹ方向のどちらか一方向（図２５では、Ｙ方向）に隣り合う発光素子１３を電気的に接続するようにしてもよい。
【００９６】
更に、上記実施の形態等では、発光素子１３がＬＥＤである場合について説明したが、発光素子１３は半導体レーザ等により構成されていてもよい。
【００９７】
また、封止樹脂１７が波長変換物質を含んでいてもよい。あるいは、波長変換シートを、発光素子１３とレンズ１５との間に設けるようにしてもよい。
【００９８】
加えて、上記実施の形態において発光装置１０Ｅ，６０Ｅおよび表示装置１等の構成を具体的に挙げて説明したが、全ての構成要素を備える必要はなく、また、他の構成要素を更に備えていてもよい。
【００９９】
また、上記実施の形態において説明した各構成要素の材料などは限定されるものではなく、他の材料としてもよい。
【０１００】
なお、本明細書に記載された効果はあくまで例示であってこれに限定されるものではなく、また他の効果があってもよい。
【０１０１】
本技術は以下のような構成を取ることも可能である。
（１）
複数のレンズと、
各々の前記レンズが覆う少なくとも２つの発光素子とを備え、
一の前記レンズに覆われた少なくとも２つの前記発光素子は、互いに電気的に分離されている
発光装置。
（２）
一の前記レンズに覆われた少なくとも２つの前記発光素子から出射される光の波長帯域は同じである
前記（１）に記載の発光装置。
（３）
一の前記レンズに覆われた少なくとも２つの前記発光素子は、互いに異なる大きさの実効電流が流れるように構成されている
前記（１）または（２）に記載の発光装置。
（４）
一の前記レンズに覆われた少なくとも２つの前記発光素子は、第１方向に並んで配置され、
前記第１方向に隣り合う前記レンズの間で隣り合って配置された前記発光素子が、互いに電気的に接続されている
前記（１）ないし（３）のうちいずれか１つに記載の発光装置。
（５）
前記第１方向に交差する第２方向に隣り合うレンズの間で隣り合って配置された前記発光素子が、互いに電気的に接続されている
前記（４）に記載の発光装置。
（６）
一の前記レンズに、４つの前記発光素子が覆われている
前記（１）ないし（５）のうちいずれか１つに記載の発光装置。
（７）
更に、一の前記レンズに覆われた少なくとも２つの前記発光素子が収容されたパッケージを有する
前記（１）ないし（６）のうちいずれか１つに記載の発光装置。
（８）
更に、前記パッケージに設けられ、少なくとも前記２つの発光素子を隔てる反射部を有する
前記（７）に記載の発光装置。
（９）
更に、前記パッケージに充填された封止樹脂を有し、
前記封止樹脂の厚みよりも、前記反射部の高さが大きい
前記（８）に記載の発光装置。
（１０）
前記発光素子は、ＬＥＤ（Light Emitting Diode）である
前記（１）ないし（９）のうちいずれか１つに記載の発光装置。
（１１）
基板と、
前記基板上に設けられた複数の発光素子と、
各々の前記発光素子を覆うとともに、前記基板との間隙を有して配置されたレンズと、
前記基板上に設けられ、前記レンズ毎に開口を有するとともに、所定の方向に一端を有する反射シートとを備え、
前記反射シートには、前記開口の前記一端側の周縁を前記間隙に配置した勘合部分が複数設けられている
発光装置。
（１２）
更に、前記反射シートには、前記基板に対する位置合わせを行うための孔が設けられている
前記（１１）に記載の発光装置。
（１３）
前記開口の前記一端側の周縁が直線である
前記（１１）または（１２）に記載の発光装置。
（１４）
全ての前記開口の前記一端側の周縁が前記間隙に配置されている
前記（１１）ないし（１３）のうちいずれか１つに記載の発光装置。
（１５）
更に、前記レンズには、前記反射シートの前記勘合部分に対向する位置に、周縁が突出した凸部が設けられている
前記（１１）ないし（１４）のうちいずれか１つに記載の発光装置。
（１６）
更に、前記凸部には、前記間隙の大きさが外側に向かって徐々に大きくなる傾斜部が設けられている
前記（１５）に記載の発光装置。
（１７）
液晶パネルおよび前記液晶パネルの背面側の発光装置を備え、
前記発光装置は、
複数のレンズと、
各々の前記レンズが覆う少なくとも２つの発光素子とを備え、
一の前記レンズに覆われた少なくとも２つの前記発光素子は、互いに電気的に分離されている
表示装置。
（１８）
液晶パネルおよび前記液晶パネルの背面側の発光装置を備え、
前記発光装置は、
基板と、
前記基板上に設けられた複数の発光素子と、
各々の前記発光素子を覆うとともに、前記基板との間隙を有して配置されたレンズと、
前記基板上に設けられ、前記レンズ毎に開口を有するとともに、所定の方向に一端を有する反射シートとを備え、
前記反射シートには、前記開口の前記一端側の周縁を前記間隙に配置した勘合部分が複数設けられている
表示装置。
（１９）
発光装置を備え、
前記発光装置は、
複数のレンズと、
各々の前記レンズが覆う少なくとも２つの発光素子とを備え、
一の前記レンズに覆われた少なくとも２つの前記発光素子は、互いに電気的に分離されている
照明装置。
（２０）
発光装置を備え、
基板と、
前記基板上に設けられた複数の発光素子と、
各々の前記発光素子を覆うとともに、前記基板との間隙を有して配置されたレンズと、
前記基板上に設けられ、前記レンズ毎に開口を有するとともに、所定の方向に一端を有する反射シートとを備え、
前記反射シートには、前記開口各々の前記一端側の周縁を前記間隙に配置した勘合部分が複数設けられている
照明装置。
【０１０２】
本出願は、日本国特許庁において２０１７年７月１３日に出願された日本特許出願番号第２０１７−１３６８２２号を基礎として優先権を主張するものであり、この出願の全ての内容を参照によって本出願に援用する。
【０１０３】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2019012793.tif 000003
【図２】
2019012793.tif 000004
【図３】
2019012793.tif 000005
【図４】
2019012793.tif 000006
【図５】
2019012793.tif 000007
【図６】
2019012793.tif 000008
【図７】
2019012793.tif 000009
【図８】
2019012793.tif 000010
【図９】
2019012793.tif 000011
【図１０】
2019012793.tif 000012
【図１１】
2019012793.tif 000013
【図１２】
2019012793.tif 000014
【図１３Ａ】
2019012793.tif 000015
【図１３Ｂ】
2019012793.tif 000016
【図１３Ｃ】
2019012793.tif 000017
【図１４】
2019012793.tif 000018
【図１５Ａ】
2019012793.tif 000019
【図１５Ｂ】
2019012793.tif 000020
【図１６Ａ】
2019012793.tif 000021
【図１６Ｂ】
2019012793.tif 000022
【図１７】
2019012793.tif 000023
【図１８】
2019012793.tif 000024
【図１９Ａ】
2019012793.tif 000025
【図１９Ｂ】
2019012793.tif 000026
【図２０Ａ】
2019012793.tif 000027
【図２０Ｂ】
2019012793.tif 000028
【図２１】
2019012793.tif 000029
【図２２】
2019012793.tif 000030
【図２３】
2019012793.tif 000031
【図２４】
2019012793.tif 000032
【図２５】
2019012793.tif 000033
【国際調査報告】
2019012793.tif 000034
2019012793.tif 000035
2019012793.tif 000036
2019012793.tif 000037